(57)【特許請求の範囲】
【請求項１】
丸孔部と，この丸孔部に連続して形成される長孔部からなるだるま孔を有する板材に取り付けられる固定治具において、
前記丸孔部に挿通可能な頭部と，前記長孔部に係合可能な角根部を有する丸頭角根ボルトと、
この丸頭角根ボルトの軸部が挿通されるボルト孔が設けられた平板部と，この平板部の一端に，側面視して直角をなすように形成される平面視矩形状の係止部とからなる外れ防止板と、
前記丸頭角根ボルトの前記軸部が螺合するナットと、を備え、
前記外れ防止板は、前記丸頭角根ボルトの軸部に挿通され，前記角根部が前記だるま孔の前記長孔部に係合した状態で、前記丸孔部の内周面に前記係止部が当接するように形成される固定治具を備えて、側板に前記だるま孔と同一形状の連結孔を有するとともに下面に位置決め孔を有する配電盤に取り付けられる配電盤用転倒防止具であって、
前記だるま孔が設けられるとともに、前記配電盤の前記側板に対して当接可能に形成される立設部と、この立設部に直交し前記配電盤の前記下面に対して当接可能に形成される取付部からなる側面視Ｌ字状の金属板と、
この金属板の前記取付部が上面に固設されるとともに前記配電盤の奥行きよりも長く形成されて前記配電盤の前後に突出するように設置されるベースと、
前記位置決め孔に対して挿設可能に、前記金属板の前記取付部に立設される位置決め部材と、を備えたことを特徴とする配電盤用転倒防止具。
【請求項２】
前記金属板は、前記配電盤の前記側板に当接する側の前記立設部に貼設されるクッション材を備えたことを特徴とする請求項１記載の配電盤用転倒防止具。
【発明の詳細な説明】
【技術分野】
【０００１】
本発明は、運搬時等における転倒事故を防止するために配電盤の下部に取り付けて使用される転倒防止具とその固定治具に係り、特に、配電盤の片側のみからでも取り付け作業を行うことが可能な配電盤用転倒防止具とそれに用いる固定治具に関する。
【背景技術】
【０００２】
工場で製造されて出荷された配電盤は、一般に、木枠やビニール等で梱包された後、トラックに積載されて現地へ納入される。現地に到着すると、配電盤はクレーン等によって吊り上げられてトラックの荷台から降ろされる。そして、トラックから降ろされた配電盤は、従来、横倒しにされた状態で複数の作業者に把持されて据付場所まで運搬されていた。しかしながら、このような方法では、配電盤を横倒しにしたり、起立させたりする際や運搬の途中で作業者が怪我をしたり、配電盤を傷つけたりするおそれがあった。そこで、最近では、台車等を利用して配電盤を起立状態で運搬する方法が提案されており、それに関して既にいくつかの発明や考案が開示されている。
【０００３】
例えば、特許文献１には、「多種重量盤対応運搬台車」という名称で、本願発明の「配電盤」に相当する多種フレームの制御盤を任意に組み合わせて連結するとともに、制御盤のライン間の運搬及び組み立てや検査等の作業台としても使用できる運搬台車に関する考案が開示されている。
特許文献１に開示された考案は、フレームの取付穴位置に対応可能に駒ネジの縦、横の位置を変換するスライド機構や車輪を浮かせる固定ストッパーを備えた構造となっている。
このような構造によれば、多種フレーム盤の多様な取付ピッチ穴に台車取付機構部を追従させることができるため、フレーム盤の取付作業が簡素化される。また、固定ストッパーにより、台車が勝手に移動しないように固定させることができる。
【０００４】
上述のように配電盤を台車に搭載する場合、運搬中に落下しないように配電盤を台車に対して一次的に固定する必要がある。このとき、ボルト・ナットを用いると、一方の手でナットを固定し、他方の手でボルトを締め付けなければならないため、作業性が悪い。従って、ボルトを締め付ける際にボルトの回転を規制するような治具があれば、好都合である。このような治具として、例えば、特許文献２には、「列盤連結装置」という名称で、制御装置等の隣接された盤を連結する際に使用される装置に関する発明が開示されている。この発明は、側板に連結孔を有する盤に対して用いられるものであって、隣接して配置された盤の両側板の連結孔を覆うように，上面が開口するとともに側板に平行な前板に六角ボルト挿通孔が設けられた箱体が上記両側板の内面にそれぞれ溶着され、この箱体の一方の中に両側板に対して平行に挿入された六角ナットに、他方の箱体のボルト挿通孔及び両盤の連結孔に挿通された六角ボルトが螺挿された構造となっている。
このような構造によれば、六角ボルトを締め付ける際に、六角ナットの回転が箱体によって規制されるため、作業性が良い。
【０００５】
また、特許文献３には、一方の盤側で列盤のすべての連結作業を行うことが可能な「列盤の連結構造」に関する考案が開示されている。
特許文献３に開示された考案は、ナットが挿通される丸孔部と、ボルトの軸部を収容可能に，この丸孔部に連続形成される長孔部を有する列盤に対して適用されるものであって、長孔部に係合してナットの回転を規制するストッパがナットの座金の切欠面に固定されたことを特徴としている。このような構造によれば、いずれかの配電盤の内部に作業者の手が入らないなど、十分な作業スペースを確保できない場合であっても、一方の盤側で連結作業を行うことが可能である。
【先行技術文献】
【特許文献】
【０００６】
【特許文献１】実開平２−１１７９６４号公報
【特許文献２】特開平９−２９８８０７号公報
【特許文献３】実登第３１２０４８２号公報
【発明の概要】
【発明が解決しようとする課題】
【０００７】
上述の従来技術である特許文献１に開示された考案においては、制御盤の下面に設けられたフレームの取付穴を利用するものであるため、クレーン等で吊り上げた状態の制御盤の下に作業者が手を差し入れて、ネジの締結を行わなければならず、怪我をする危険があることに加え、制御盤を台車に固定する作業を効率よく行うことができないという課題があった。また、転倒を防止可能な構造となっていないため、運搬時や検査時に制御盤が転倒するおそれがあった。
【０００８】
また、配電盤等を台車に固定する際に、特許文献２に開示された発明を用いる場合、配電盤の側面の内側に箱体を溶着するという工程を行う必要があるため、作業コストが高くなるという課題があった。また、六角ナットを一方の箱体の内部に設置して他方の箱体の側から六角ボルトを挿通しなければならないため、配電盤の内部に作業者の手が入らないような状況では使用することができない。
【０００９】
さらに、特許文献３に開示された考案においては、一方の盤側で連結作業を行うことができるため、配電盤を台車に固定する際に、配電盤の内部に作業者の手が入らないような場合であっても使用することができる。しかしながら、このような用途に本考案の連結構造を使用した場合、運搬時の振動によってボルトが長孔部から丸孔部に移動し、外れてしまうおそれがある。
【００１０】
本発明はかかる従来の事情に対処してなされたものであって、配電盤へ安全かつ容易に取り付けることができるとともに、運搬時や検査時等における配電盤の転倒事故を防止することが可能な配電盤用転倒防止具と、運搬時に振動を受けた場合でも外れ難い、配電盤用転倒防止具に用いる固定治具を提供することを目的とする。
【課題を解決するための手段】
【００１１】
上記目的を達成するため、請求項１記載の発明は、丸孔部と，この丸孔部に連続して形成される長孔部からなるだるま孔を有する板材に取り付けられる固定治具において、丸孔部に挿通可能な頭部と，長孔部に係合可能な角根部を有する丸頭角根ボルトと、この丸頭角根ボルトの軸部が挿通されるボルト孔が設けられた平板部と，この平板部の一端に，側面視して直角をなすように形成される平面視矩形状の係止部とからなる外れ防止板と、丸頭角根ボルトの軸部が螺合するナットと、を備え、外れ防止板は、丸頭角根ボルトの軸部に挿通され，角根部がだるま孔の長孔部に係合した状態で、丸孔部の内周面に係止部が当接するように形成される固定治具を備えて、側板にだるま孔と同一形状の連結孔を有するとともに下面に位置決め孔を有する配電盤に取り付けられる配電盤用転倒防止具であって、だるま孔が設けられるとともに、配電盤の側板に対して当接可能に形成される立設部と、この立設部に直交し配電盤の下面に対して当接可能に形成される取付部からなる側面視Ｌ字状の金属板と、この金属板の取付部が上面に固設されるとともに配電盤の奥行きよりも長く形成されて配電盤の前後に突出するように設置されるベースと、位置決め孔に対して挿設可能に、金属板の取付部に立設される位置決め部材と、を備えたことを特徴とするものである。
【００１２】
このような構造の固定治具においては、だるま孔を有する板材に取り付けた場合に、角根丸頭ボルトの角根部がだるま孔の長孔部に係合することにより、角根丸頭ボルトのとも回りが防止されるという作用を有する。また、固定治具がだるま孔に取り付けられた板材を運搬する際に、固定治具が振動を受けたとしても、だるま孔の丸孔部の内周面に係止部が当接する外れ防止板が角根丸頭ボルトの移動を拘束するため、だるま孔の長孔部からの角根部の離脱が防止されるという作用を有する。
加えて、このような構造の配電盤用転倒防止具においては、金属板がベースを配電盤に対して固定するとともに、横方向への配電盤の転倒を防止するという作用を有する。また、ベースを配電盤の前後や横方向に突出するような形状とすることによれば、配電盤が前後や横方向に対して転倒し難くなるという作用を有する。さらに、運搬時に振動を受けた場合でも配電盤から外れ難いという作用を有する。そして、固定治具により配電盤の側面に対して容易に、かつ確実に固定されるという作用を有する。
加えて、位置決め用部材によって配電盤に対する水平方向の位置ずれが防止されるという作用を有する。
【００１３】
さらに、請求項２に記載の発明は、請求項１記載の配電盤用転倒防止具において、金属板は、配電盤の側板に当接する側の立設部に貼設されるクッション材を備えたことを特徴とするものである。
このような構造の配電盤用転倒防止具においては、請求項１に記載の発明の作用に加えて、クッション材により配電盤の側面が傷つかないように保護されるという作用を有する。
【発明の効果】
【００１５】
本発明の請求項１に記載の発明によれば、角根丸頭ボルトの締め付け作業の際に、頭部や軸部を手で持って固定する必要がなく、ナットのみを回転させれば良いため、作業性が良い。また、運搬時に振動を受けた場合でも角根丸頭ボルトの角根部がだるま孔の丸孔部側に移動し、固定治具がだるま孔から外れてしまうという事態を防止することができる。加えて、運搬作業時の安全性を高めることができる。また、配電盤の下面に作業者が手を差し入れてボルトの締結作業等を行う必要がないため、取付作業時の安全性も高まる。さらに、配電盤の側面に対して金属板が外部から取り付けられるため、配電盤の内部に作業者の手が入らないような場合でも何ら支障なく、取付作業を行うことができる。そして、水平方向に対する配電盤の位置ずれを確実に防止して、運搬時の安全性を高めることができる。
【００１７】
本発明の請求項２に記載の発明によれば、請求項１に記載の発明の効果に加え、側面の傷による配電盤の製品価値の低下を防ぐことができる。
【図面の簡単な説明】
【００１９】
【図１】（ａ）及び（ｂ）はそれぞれ本発明の実施の形態に係る配電盤用転倒防止具の側面図及び正面図である。
【図２】（ａ）及び（ｂ）はそれぞれ本実施例の配電盤用転倒防止具の外観斜視図及び固定治具の実施例の側面図である。
【図３】（ａ）及び（ｂ）はそれぞれ外れ防止板の正面図及び側面図である。
【図４】（ａ）は図１（ａ）において固定治具を取り外した状態のだるま孔とその周囲を部分的に拡大した図であり、（ｂ）は図４（ａ）において固定治具をだるま孔に取り付けた状態を示す図である。
【図５】（ａ）及び（ｂ）はそれぞれ外れ防止板及びだるま孔の寸法を説明するための図である。
【図６】（ａ）乃至（ｃ）は固定治具を取り付ける手順を説明するためのだるま孔の縦断面図である。
【図７】（ａ）及び（ｂ）はそれぞれ図４（ｂ）のＸ−Ｘ線矢視断面及びＹ−Ｙ線矢視断面の一部を拡大した図である。
【発明を実施するための形態】
【００２０】
本発明の配電盤用転倒防止具は後述のだるま孔を有する配電盤に対して適用されるものであり、両者を固定する際に独自の固定治具を用いることを特徴とする。以下、それらの構造について、図１乃至図７を参照しながら具体的に説明する。
【実施例】
【００２１】
図１（ａ）及び図１（ｂ）はそれぞれ本実施例の転倒防止具１の側面図及び正面図であり、図２（ａ）は転倒防止具１の外観斜視図であり、図２（ｂ）は図１（ａ）に示される固定治具２の側面図である。また、図３（ａ）及び図３（ｂ）はそれぞれ外れ防止板の正面図及び側面図である。なお、図１（ａ）及び図１（ｂ）では配電盤の輪郭を破線で図示している。また、図１（ｂ）ではクッション材８の図示を省略している。
【００２２】
図１（ａ）及び図１（ｂ）に示すように、本実施例の転倒防止具１は固定治具２を用いて配電盤３の左右の下部にそれぞれ装着されるものであり、側面視Ｌ字状をなし，鏡面関係にある一対の金属板４ａ，４ｂと、金属板４ａ（４ｂ）の取付部５にスペーサ６を介して取り付けられ，配電盤３の運搬時には下面７ａの前後に車輪（図示せず）が着脱可能に取り付けられるベース７を備えている。なお、金属板４ａ，４ｂには後述するようにボルト孔２１がそれぞれ設けられている。
また、スペーサ６及びベース７はいずれも木製の角材からなり、金属板４ａ，４ｂ及びスペーサ６は配電盤３の奥行Ｌと同程度の長さを有しており、ベース７は転倒防止具１を配電盤３に装着した場合に配電盤３の前後に突出するように、配電盤３の奥行Ｌよりも長く形成されている。
すなわち、ベース７は配電盤３の前後方向への転倒を防止するという作用を有する。また、金属板４ａ，４ｂはスペーサ６を介してベース７を配電盤３に対して固定するとともに、配電盤３の横方向への転倒を防止するという作用を有する。なお、ベース７を配電盤３の横方向へも突出するような形状とすれば、ベース７によっても配電盤３の横方向のへの転倒が防止される。
【００２３】
後述するように金属板４ａ，４ｂは、配電盤３の下面に設けられた位置決め孔（図示せず）に挿入して転倒防止具１の位置決めを行うための位置決め用部材１１を備えている。すなわち、位置決め用部材１１は転倒防止具１の配電盤３に対する水平方向の位置ずれを防止するという作用を有する。
なお、本願明細書においては、金属板４ａ，４ｂのうちのいずれか一方のみが図面に示されている場合であっても、その図面を用いた説明が他方の金属板にもあてはまるときには、上述の「金属板４ａ（４ｂ）」のように図示されていない方の金属板の符号を括弧書きで表記するものとする。
【００２４】
図２（ａ）に示すように、金属板４ｂ（４ａ）の配電盤３に対する面にはクッション材８が貼り付けられている。そして、金属板４ｂ（４ａ）及びクッション材８の立設部９（図１（ｂ）及び図２（ａ）参照）の上部には、固定治具２を取り付けるためのだるま孔１０と、配電盤３の側板３ａに溶接されたナット（図示せず）に立設部９の外側表面からボルトを挿通させて、締め付けるためのボルト孔２１がそれぞれ連通するように形成されている。
また、金属板４ｂ（４ａ）及びクッション材８の取付部５（図１（ｂ）及び図２（ａ）参照）の後端近傍には、位置決め用部材１１が立設されている。そして、金属板４ｂ（４ａ）及びクッション材８の立設部９は前端側が高く、後端側が低くなるように一部が切り欠かれている。
なお、本願明細書では、金属板４ｂ（４ａ）及びクッション材８において配電盤３に取り付けた際に配電盤３の前面及び後面に近い側をそれぞれ前端及び後端というものとする。また、配電盤３の側板３ａ（図１（ｂ）参照）にも固定治具２の取付個所にだるま孔１０と同一形状の連結孔（図示せず）が設けられている。
【００２５】
金属板４ｂ（４ａ）は２本のボルト１２を用いてスペーサ６に固定されており、スペーサ６は４本の釘１３によってベース７に固定されている。また、ベース７には前後２個所に運搬用の車輪（図示せず）を固定するボルトを挿通するためのボルト孔１４，１４が設けられている。
さらに、図２（ｂ）に示すように、固定治具２は、外れ防止板１５に挿通されるとともに、軸部１６ａにばね座金１７及び平座金１８が装着された角根丸頭ボルト１６がナット１９に螺合された構造となっている。そして、図３（ａ）及び図３（ｂ）に示すように、外れ防止板１５は金属製の板材であり、角根丸頭ボルト１６が挿通されるボルト孔２０を有する平面視矩形状の平板部１５ａの一端に，側面視して略直角をなすように平面視矩形状の係止部１５ｂが形成された構造となっている。なお、外れ防止板１５は係止部１５ｂ及びボルト孔２０も含めて幅方向（図３（ａ）のＷ方向）について対称に形成されている。
【００２６】
次に、図４を参照しながら、だるま孔１０とそのだるま孔１０に固定治具２を取り付けた状態について説明する。
図４（ａ）は図１（ａ）において固定治具２を取り外した状態のだるま孔１０とその周囲を部分的に拡大した図であり、図４（ｂ）は図４（ａ）において固定治具２をだるま孔１０に取り付けた状態を示す図である。図４（ａ）に示すように、金属板４ａ（４ｂ）及びクッション材８の立設部９に設けられるだるま孔１０は、角根丸頭ボルト１６の頭部１６ｂ（図２（ｂ）参照）を挿通可能に形成される丸孔部１０ａと、角根丸頭ボルト１６の角根部１６ｃ（図２（ｂ）参照）を係合可能に，丸孔部１０ａに連続して形成される長孔部１０ｂとからなる。そして、このような形状のだるま孔１０に対して固定治具２は、図４（ｂ）に示すように外れ防止板１５の係止部１５ｂが丸孔部１０ａの内周面に当接するように取り付けられる。
【００２７】
そして、図５（ａ）及び図５（ｂ）はそれぞれ外れ防止板１５及びだるま孔１０の寸法を説明するための図である。これらの図を用いて、外れ防止板１５とだるま孔１０の寸法について説明する。
図５（ａ）及び図５（ｂ）に示すように、外れ防止板１５において固定治具２をだるま孔１０に取り付けた際に、丸孔１０ａの内周面に当接する係止部１５ｂの角部をＡ、外れ防止板１５の中心線ＰとＡの距離をａ、Ａからボルト孔２０の最下端Ｂまでの中心線Ｐに沿った長さをｂとする。このとき、係止部１５ｂの幅は２ａとなる。一方、だるま孔１０については、丸孔１０ａの半径をｒとし、その中心Ｏから長孔１０ｂの最下端Ｃまでの長さをｓ、長孔１０ｂの長さをｈとする。
【００２８】
固定治具２をだるま孔１０に取り付けると、図５（ｂ）に示すように、だるま孔１０の中心線Ｑは外れ防止板１５の中心線Ｐと一致し、Ａから中心Ｏまでの長さは丸孔１０ａの半径ｒと等しくなる。従って、Ａから長孔１０ｂの最下端Ｃまで中心線Ｑに沿った長さをｄとすると、ｄは次の式（１）で表わされる。
【００２９】
【数１】
0005758281.tif 000002
【００３０】
Ａからボルト孔２０の最下端Ｂまでの中心線Ｐに沿った長さｂがｄより短い場合、固定治具２はだるま孔１０に対して取り付け可能となる。しかし、長さｂが（ｄ−ｈ）以下の場合、角根丸頭ボルト１６の軸部１６ａの長孔部１０ｂからの抜けを防止するという後述する外れ防止板１５の作用が発揮されないため、長さｂは（ｄ−ｈ）よりも長くなければならない。従って、外れ防止板１５は、中心線ＰとＡの距離ａと、Ａからボルト孔２０の最下端Ｂまでの中心線Ｐに沿った長さｂが次の式（２）を満たすように形成される必要がある。
【００３１】
【数２】
0005758281.tif 000003
【００３２】
固定治具２をだるま孔１０に取り付ける手順について図６及び図７を用いて説明する。図６（ａ）乃至図６（ｃ）は固定治具２を取り付ける手順を説明するためのだるま孔１０の縦断面図であり、図７（ａ）及び図７（ｂ）はそれぞれ図４（ｂ）のＸ−Ｘ線矢視断面及びＹ−Ｙ線矢視断面の一部を拡大した図である。なお、図１乃至図５に示した構成要素については、同一の符号を付してその説明を省略する。また、配電盤３の側板３ａに設けられた連結孔は金属板４ａ，４ｂに設けられただるま孔１０と同一形状であって連通するように配置されることから、便宜上、以下の説明において配電盤３の側板３ａの連結孔もだるま孔１０というものとする。
まず、図６（ａ）に示すように、配電盤３の側板３ａと転倒防止具１の金属板４ａ（４ｂ）及びクッション材８に設けられただるま孔１０の丸孔部１０ａに角根丸頭ボルト１６を頭部１６ｂの方から挿通した後、矢印Ｄの向きに降下させる。これにより、図６（ｂ）に示すように、角根丸頭ボルト１６の角根部１６ｃがだるま孔１０の長孔部１０ｂに収容される。次に、図６（ｃ）に示すように、外れ防止具１５のボルト孔２０に角根丸頭ボルト１６の軸部１６ａを挿通させた状態で、外れ防止具１５の係止部１５ｂをだるま孔１０の丸孔部１０ａの内周面に当接させる。
【００３３】
さらに、図７（ａ）に示すように、角根丸頭ボルト１６の軸部１６ａにばね座金１７及び平座金１８を装着した後、角根丸頭ボルト１６の軸部１６ａを螺入可能に配置したナット１９を一方向へ回転させる。このとき、図７（ｂ）に示すように、角根丸頭ボルト１６の角根部１６ｃがだるま孔１０の長孔部１０ｂに係合するため、角根丸頭ボルト１６のとも回りが防止される。従って、角根丸頭ボルト１６の締め付け作業の際に、頭部１６ｂや軸部１６ａを手で持って固定する必要がなく、ナット１９のみを回転させれば良い。そして、ナット１９を回転させる作業は片手で行うことが可能である。従って、作業性が良い。また、だるま孔１０の丸孔部１０ａの内周面に外れ防止板１５の係止部１５ｂが当接することで、角根丸頭ボルト１６の上下方向の移動が拘束されるため、だるま孔１０の長孔部１０ｂからの角根丸頭ボルト１６の角根部１６ｃの離脱が防止されるという作用を有する。これにより、配電盤３の運搬中に振動を受けた場合でも、角根丸頭ボルト１６の角根部１６ｃがだるま孔１０の丸孔部１０ａに移動し、固定治具２がだるま孔１０から外れてしまうという事態を防止することができる。
【００３４】
このような構造の固定治具２を備えた転倒防止具１においては、運搬時に振動を受けた場合でも配電盤３から外れ難いという作用を有する。従って、運搬作業時の安全性を高めることができる。また、固定治具２により配電盤３の側面３ａに対して容易に、かつ確実に固定されるという作用を有する。この場合、配電盤３の下面に作業者が手を差し入れてボルトの締結作業等を行う必要がないため、取付作業を安全に行うことができる。さらに、配電盤３の側面３ａに対して金属板４ａ，４ｂが外部から取り付けられるため、配電盤３の内部に作業者の手が入らないような場合でも何ら支障なく、取付作業を行うことができる。加えて、位置決め用部材１１が配電盤３の下面に対して直交するように設置されることから、水平方向に対する配電盤３の位置ずれを確実に防止することができる。従って、運搬時の安全性が高まる。また、クッション材８は配電盤３の側面３ａに傷がつかないように保護するという作用を有する。従って、側面３ａに傷がつくことにより、配電盤３の製品としての価値が低下することを防ぐことができる。
【００３５】
なお、本発明の配電盤用転倒防止具及びそれに用いる固定治具は、本実施例に示した構造に限定されるものではない。例えば、転倒防止具１において、スペーサ６を介さずに金属板４ａ（４ｂ）の下面５にベース７を直接取り付ける構造とすることもできる。また、クッション材８を省略することもできる。さらに、ボルト以外の棒状体を位置決め用部材１１として用いても良い。そして、金属板４ｂ（４ａ）及びクッション材８の立設部９は後端側が高く、前端側が低くなるように一部が切り欠かれていても良いし、全く切り欠かれていなくても良い。また、金属板４ｂ（４ａ）及びクッション材８は、前端近傍に位置決め用部材１１が配置され、後端側近傍にだるま孔１０が設けられた構造であっても良い。さらに、固定治具２において、座金１７及び平座金１８は角根丸頭ボルト１６の頭部の締付圧力を均一化するために用いられるが、省略することもできる。また、外れ防止板１５の平面部１５ａは必ずしも平面視矩形状に形成されていなくても良い。
【産業上の利用可能性】
【００３６】
本発明の請求項１乃至請求項２に記載された発明は、配電盤に限らず、だるま孔を有する各種のキャビネットに対して適用可能である。
【符号の説明】
【００３７】
１…転倒防止具  ２…固定治具  ３…配電盤  ３ａ…側板  ４ａ，４ｂ…金属板  ５…取付部  ６…スペーサ  ７…ベース  ７ａ…下面  ８…クッション材  ９…立設部  １０…だるま孔  １０ａ…丸孔部  １０ｂ…長孔部  １１…位置決め用部材  １２…ボルト  １３…釘  １４…ボルト孔  １５…外れ防止板  １５ａ…平板部  １５ｂ…係止部  １６…角根丸頭ボルト  １６ａ…軸部  １６ｂ…頭部  １６ｃ…角根部  １７…ばね座金  １８…平座金  １９…ナット  ２０…ボルト孔  ２１…ボルト孔
【図１】
0005758281.tif 000004
【図２】
0005758281.tif 000005
【図３】
0005758281.tif 000006
【図４】
0005758281.tif 000007
【図５】
0005758281.tif 000008
【図６】
0005758281.tif 000009
【図７】
0005758281.tif 000010